(57)【特許請求の範囲】
【請求項１】
パンチボディを上下調節可能に支持したパンチホルダに、調整螺子部材を回転可能かつ所望の角度に固定自在に設け、前記パンチボディ又はパンチボディに連結したパンチドライバーに前記調整螺子部材に螺合する調整螺子部を設け、前記調整螺子部材は、パンチホルダに取付けたパンチヘッドの下側において上記パンチホルダ内に回転可能に内装されており、上記パンチヘッドには、前記調整螺子部材を回転するための工具を挿入するための工具挿入孔が設けてあり、前記調節螺子部材を所望の回転位置に固定するために、前記調節螺子部材の外周面に適宜間隔に設けた係合凹部に係脱自在のボールを前記パンチホルダに備えた固定装置、又は前記調節螺子部材の上面に適宜間隔に設けた係合凹部に係合離脱自在な止めネジを前記パンチヘッドに備えた固定装置を備えていることを特徴とするパンチ金型。
【発明の詳細な説明】
【０００１】
【発明の属する技術分野】
本発明は、例えばタレットパンチプレスなどのごときパンチプレスに使用されるパンチ金型に係り、さらに詳細にはパンチ高さ（ハイト）調整を容易に行うことのできるパンチ金型に関する。
【０００２】
【従来の技術】
タレットパンチプレス等のごときパンチプレスのストライカには、パンチ金型のパンチヘッドの上面を単に打圧する形式と、パンチ金型に備えたパンチヘッドのＴ形部と係合離脱自在のＴ溝を備えた形式とがある。
【０００３】
ストライカによってパンチヘッドの上面を打圧される形式のパンチ金型はパンチボディを上昇せしめるための強力なストリッパースプリングを備えた構成であり、常態においては、ストライカとパンチヘッドは離れた状態にあるので、パンチヘッドの高さ位置が多少異なる場合であっても大きな問題となるようなことがなく、ハイト調整の容易性において優れている。
【０００４】
ストライカに備えたＴ溝に、パンチ金型におけるパンチヘッドのＴ形部を係合離脱する形式においては、タレットパンチプレスにおけるタレットが水平に回動するときに、例えば上死点に位置するストライカのＴ溝に対して、上記タレットに支持されたパンチ金型のパンチヘッドにおけるＴ形部が係脱する構成であるから、タレットに対してパンチヘッドは常に一定の高さ位置に保持する必要がある。そこで、パンチヘッドにＴ形部を備えた形式のパンチ金型においては、ハイト調整を行った場合でも、パンチヘッドのＴ形部の高さ位置は常に一定に保持するように構成されている。
【０００５】
すなわち、例えば図６に示すように、タレットパンチプレスにおける上部タレット１００に上下動自在かつ常態においては一定高さ位置に支持されるパンチボディ１０１の上部にはＴ形部のパンチヘッド１０２が一体に設けられており、またパンチボディ１０１の外周面にはホルダキー１０３が一体的に取付けてある。
【０００６】
そして、前記パンチボディ１０１に設けたパンチ装着孔１０５にはパンチボディ１０７が下側から挿入され、前記パンチヘッド１０２側から挿入した取付ボルト１０９によって一体的に取付けられている。なお、上記パンチボディ１０７内にはエジェクターピン１１０が設けられていると共にエジェクターピン１１０を下方向へ付勢するスプリング等の弾性部材１１１が設けられている。さらに、上記弾性部材１１１を押圧する押圧ピン１１２および止めねじ１１３が内装されている。
【０００７】
そして、ハイト調整を行うために、パンチボディ１０７とパンチ装着孔１０５の天井との間には環状のスペーサ１１４が介在されている。
【０００８】
【発明が解決しようとする課題】
上述のごとき従来の構成においては、ハイト調整を行うにはタレット１００からパンチホルダ１０１を取り出した後に、取付ボルト１０９を緩めてパンチホルダ１０１からパンチボディ１０７を取り外し、最適厚さのスペーサ１１４に交換する必要がある。
【０００９】
しがって従来は、パンチホルダ１０１からパンチボディ１０７を一々取り外さなければならず極めて厄介であると共に、種々の厚さのスペーサ１１４を予め用意しておき、調整高さに応じて各スペーサ１１４を組合せる必要があり煩わしいという問題がある。
【００１０】
【課題を解決するための手段】
本発明は前述のごとき従来の問題に鑑みてなされたもので、パンチボディを上下調節可能に支持したパンチホルダに、調整螺子部材を回転可能かつ所望の角度に固定自在に設け、前記パンチボディ又はパンチボディに連結したパンチドライバーに前記調整螺子部材に螺合する調整螺子部を設け、前記調整螺子部材は、パンチホルダに取付けたパンチヘッドの下側において上記パンチホルダ内に回転可能に内装されており、上記パンチヘッドには、前記調整螺子部材を回転するための工具を挿入するための工具挿入孔が設けてあり、前記調節螺子部材を所望の回転位置に固定するために、前記調節螺子部材の外周面に適宜間隔に設けた係合凹部に係脱自在のボールを前記パンチホルダに備えた固定装置、又は前記調節螺子部材の上面に適宜間隔に設けた係合凹部に係合離脱自在な止めネジを前記パンチヘッドに備えた固定装置を備えていることを特徴とするものである。
【００１３】
【発明の実施の形態】
図１を参照するに、タレットパンチプレス（図示省略）において回転自在の上部タレットＵＴにはパンチ金型１が上下動自在に支持されており、上部タレットＵＴと対向した下部タレットＬＴには、上記パンチ金型１に対向した下型３が支持されている。
【００１４】
前記パンチ金型１は、前記上部タレットＵＴに上下動自在に支持されたパンチホルダ５を備えており、このパンチホルダ５の外周面にはボルト７によってホルダキー９が一体的に取付けてある。さらに上記パンチホルダ５の軸心部にはパンチ装着孔１１が下側から形成してあると共に、上部には大径の収容孔１３が形成されている。
【００１５】
上記パンチ装着孔１１には底部を有する円筒形状のパンチボディ１５が上下動自在に内装されており、このパンチボディ１５の下部にはエジェクターピン１７が上下動自在に設けられている。そして、上記エジェクターピン１７とボルト１９によってパンチボディ１５の上部に取付けたパンチドライバ２１との間には、前記エジェクターピン１７を下方向へ付勢するために、ウレタンゴム等のごとき弾性部材２３およびスペーサ２５が弾装してある。なお、上記パンチボディ１５の外周面にはキー溝に上下動自在に係合した回り止めキー２７が設けられている。
【００１６】
前記収容孔１３内には、調整螺子部材としてのコアネジ２９が回転自在に内装されている。このコアネジ２９には、前記パンチドライバ２１の上部に備えた調整螺子部としての雄螺子部２１Ｓを螺合する調整螺子孔２９Ｓを下面側に備え、コアネジ２９の上面には、例えば六角レンチなどのごとき適宜の回転工具を係合する多角形状の工具係合孔２９Ｈが設けられている。
【００１７】
上記コアネジ２９は、複数のボルト３１によって前記パンチホルダ５の上部に取付けたパンチヘッド３３によって上下動を規制され、収容孔１３内においての回転のみが許容されている。
【００１８】
上記パンチヘッド３３は、従来のパンチヘッドと同様に上端部にＴ形部３３Ｔを備えており、タレットパンチプレスに上下動自在に備えたストライカＳＴのＴ溝ＳＴＴに対して水平方向に係合離脱自在である。また、上記パンチヘッド３３には、前記コアネジ２９を回転するための工具を挿入自在の工具挿入孔３３Ｈが設けられている。
【００１９】
調整螺子部材としての前記コアネジ２９を所望の回転位置で固定するために、前記パンチホルダ５には固定装置が設けられている。
【００２０】
すなわち、パンチホルダ５には、前記コアネジ２９の外周面に適宜間隔に設けたスリット又は半球状の凹部のごとき係合凹部３５と係脱自在のボール５７が径方向へ移動可能に設けられている。そして、上記ボール５７の外方向への移動を許容する小径部５９Ｓとボール５７を内方向へ押圧する大径部５９Ｌとを上下に隣接して備えたロックピン５９が、パンチホルダ５に設けた上下方向のピン孔６１内に上下動自在に設けられている。このロックピン５９とピン孔６１の底部との間には、ロックピン５９を上方向へ押圧付勢するスプリングのごとき弾性部材６３が弾装してあり、上記ロックピン５９の上端部は、前記パンチヘッド３３に形成した切欠凹部３３Ｎ内に突出してある。
【００２１】
前記下型３の構成は公知であるが、簡単に説明すると、下部タレットＬＴには上向きのパンチ６５を中央部に備えたダイパンチ６７が取付けてあり、このダイパンチ６７に上下動自在に支持されたエジェクタプレート６９とダイパンチ６７との間には、エジェクタプレート６９を上方向へ付勢する弾性部材７１が弾装してあり、また、エジェクタプレート６９の上方向への移動を制限するストッパボルト７３がダイパンチ６７を下方向から貫通してエシェクタプレート６９に取付けてある。
【００２２】
以上のごとき構成において、タレットパンチプレスにおける上下のタレットＵＴ，ＬＴを回転して、所定位置に位置するストライカＳＴの下方位置へパンチ金型１及び下型３を位置決めすると、パンチ金型１におけるパンチヘッド３３のＴ形部３３ＴがストライカＳＴのＴ溝ＳＴＴに水平方向から入り込み係合する。
【００２３】
その後、下型３上に板状のワークＷを位置決めし、ストライカＳＴを作動してパンチ金型１を下降せしめると、パンチホルダ５およびパンチボディ１５等が一体的に下降され、パンチボディ１５の下面がワークＷの上面に当接し、かつ下型３の弾性部材７１に抗してエジェクタプレート６９を下降せしめることにより、ワークＷにはパンチ６５によって上方向へ突出した突出部が成形加工される。その後、ストライカＳＴを上昇することにより、パンチホルダ５，パンチボディ１５等が持ち上げられ元の位置に復帰するものである。
【００２４】
上記構成において、パンチヘッド３３の上端からパンチボディ１５の下端までの高さ寸法を調整する場合には、上部タレットＵＴにパンチ金型１を装着した状態において、又は上部タレットＵＴからパンチ金型１を取り外して、ロックピン５９の上端部を押し下げて小径部５９Ｓをボール５７と対応せしめると、ボール５７はコアネジ２９の係合凹部３５から離脱する方向へ移動可能となり、コアネジ２９の固定を解除する。
【００２５】
上述のようにロックピン５９を押し下げた状態において、パンチヘッド３３の工具挿入孔３３Ｈから工具を挿入し、この工具をコアネジ２９の工具係合孔２９Ｈに係合して回動することにより、コアネジ２９の調整螺子孔２９Ｓに螺合したパンチドライバ２１の雄螺子部２１Ｓを介してパンチボディ１５は図１において上下動されることとなり、ハイト調整が行われることになる。
【００２６】
この際、パンチホルダ５に対してパンチボディ１５が上下動されるものであり、上部タレットＵＴに対するパンチヘッド３３の高さ位置を一定に保持することができる。したがって、パンチ金型１におけるパンチヘッド３３のＴ形部３３Ｔが、タレットパンチプレスにおけるストライカＳＴのＴ溝ＳＴＴに対して係脱する形式であっても、ハイト調整を容易に行うことができるものである。
【００２７】
前述のごとくコアネジ２９を適宜に回動してハイト調整を行った後、ロックピン５９の押下げを解除すると、弾性部材６３の作用によってロックピン５９が押し上げられ、ロックピン５９の大径部５９Ｌによってボール５７が内方向へ移動されてコアネジ２９の対向した位置の係合凹部３５に係合するので、コアネジ２９は回転不能に固定されることになる。
【００２８】
この第１例においては、パンチ金型のハイト調整を容易に行い得ると共に前述したごとき従来の問題を解消し得るものである。また、前記構成においては、パンチホルダ５のパンチ装着孔１１に対してパンチボディ１５を挿入し、パンチボディ１５に連結したパンチドライバー２１の雄螺子部２１Ｓをコアネジ２９の調整螺子孔２９Ｓに螺合することによって組立てることができ、組立てが容易であると共に、パンチホルダ５を各種パンチボディ１５に対して共通化を図ることが可能である。
【００２９】
図２は第２例を示すものである。この第２例において、前記第１例と相違する構成は、固定装置として、調整螺子部材としてのコアネジ２９の上面の同一円周上に適宜間隔で多数の係合凹部３５を設け、かつパンチヘッド３３に螺着した止めネジ７５を前記係合凹部３５に対して係合離脱自在に設けた構成である。なお、第２例の構成において、前述した第１例の構成と同一機能を奏する構成部分には同一符号を付することとして重複した説明は省略する。
【００３０】
上記構成においては、止めネジ７５を緩めてコアネジ２９の固定を解除した状態において、前述同様に工具を用いてコアネジ２９を適宜に回動することにより、前述同様にハイト調整を行うことができるものである。その後、止めネジ７５を締め付けて先端部を係合凹部３５に係合することにより、コアネジ２９は回転しないように固定されるものである。
【００３１】
図３は第３例を示すものである。前記第１例，第２例においては、調整螺子部材としてのコアネジ２９に調整螺子部として螺子孔２９Ｓを形成し、パンチドライバ２１に調整螺子部として雄螺子部２１Ｓを形成したが、この第３例においては、上記構成を逆にし、コアネジ２９に調整螺子部として雄螺子部２９Ａを形成し、パンチドライバ２１に、調整螺子部として螺子孔２１Ａを形成したものであり、その他の構成は前記第１例の構成と同様である。
【００３２】
したがって、第３例の構成において、前述した第１例の構成と同一機能を奏する構成部分には同一符号を付することとして重複した説明は省略する。
【００３３】
図４は第４例を示すものである。この第４例においては、パンチヘッド３３が調整螺子部材を兼用した構成である。
【００３４】
すなわち、この第４例においては上部にＴ形部３３Ｔを備えたパンチヘッド３３の下側部３３Ｌを肉厚に形成し、この下側部３３Ｌをパンチホルダ５に形成した収容孔１３内に回転可能に係合してある。そして、複数のボルト３１によってパンチホルダ５の上部に取付けた押えリング７７によってパンチヘッド３３の収容孔１３からの抜けを防止している。
【００３５】
上記パンチヘッド３３の回転を固定するための固定機構は、パンチヘッド３３における大径の下側部３３Ｌの外周面に適宜間隔に設けた係合凹部３３Ｃにボール５７を係脱自在に設けてある。そして、上記ボール５７を操作するためのロックピン５９の構成は前記第１例の構成と同一である。
【００３６】
上記パンチヘッド３３には調整螺子部としての螺子孔３３Ｓが形成してあり、この螺子孔３３Ｓには、下端部に小径のパンチＰを備えパンチホルダ５に上下動可能に支持されたパンチボディ７９の上端部に形成された調整螺子部としての雄螺子部７９Ｓが螺合してある。なお、前記パンチホルダ５の下部にはウレタンシム８１を介してウレタンストリッパ８３が取付けてある。
【００３７】
この構成においては、パンチヘッド３３に形成した係合凹部３３Ｃからボール５７を離脱して固定を解除した状態においてパンチヘッド３３を回動することにより、パンチホルダ５に対してパンチボディ７９を上下に調整することができるものである。
【００３８】
この際、パンチヘッド３３の上端部はＴ形部３３Ｔに形成してあるので、パンチヘッド３３を回動する場合には、上記Ｔ形部３３Ｔの方向性を考慮して１８０°回動する必要がある。しかし、図４（Ｂ）に示すように、前記Ｔ形部３３Ｔの形状を正四角形状に形成することにより、パンチヘッド３３の回動は９０°でも良いことになる。すなわち、パンチヘッド３３における上端のＴ形部３３Ｔは偶数辺の正多角形とすることが望ましく、このように偶数辺の正多角形とすることにより、パンチヘッド３３の回動角をより小さく調節できることになるものである。また、円形にすることにより、任意の回動角を設定することができる。
【００３９】
図５は第５例を示すもので、第４例の変形例を示すものである。この第５例においては、パンチホルダ５に対してパンチヘッド３３を取付けた複数のボルト３１を緩めて取り外した状態においてパンチヘッド３３を回動し、その後に複数のボルト３１によってパンチヘッド３３をパンチホルダ５に再び固定する構成である。
【００４０】
この構成においては、第４例と同様に、パンチヘッド３３が調整螺子部材を兼用するものであり、かつ複数のボルト３１は、上記調整螺子部材としてのパンチヘッド３３の回動を固定する固定装置を構成するものである。なお、その他の構成は第４例の構成と同様の構成であるから、同一機能を奏する構成部分には同一符号を付することとして重複した説明は省略する。
【００４１】
上述のように、パンチヘッドが調整螺子部材を兼用する構成においては構成部品点数を少なくしてより簡素化することができ、より安価に製造できることとなる。
【００４２】
【発明の効果】
以上のごとき説明より理解されるように、本発明においては、パンチホルダに回転固定自在に設けた調整螺子部材と、パンチボディ又はパンチボディに連結したパンチドライバーに形成した調整螺子部とを螺合し、上記調整螺子部材を回動することによってパンチホルダに対してパンチボディを上下動でき、パンチ金型のハイト調整を行うことができるので、ハイト調整が容易であると共に前述したごとき従来の問題を解消することができるものである。
【図面の簡単な説明】
【図１】本発明の第１例に係るパンチ金型の断面説明図である。
【図２】本発明の第２例に係るパンチ金型の断面説明図である。
【図３】本発明の第３例に係るパンチ金型の断面説明図である。
【図４】本発明の第４例に係るパンチ金型の断面説明図である。
【図５】本発明の第５例に係るパンチ金型の断面説明図である。
【図６】従来のパンチ金型の構成を示す断面説明図である。
【符号の説明】
１  パンチ金型
３  下型
５  パンチホルダ
１５  パンチボディ
２１  パンチドライバ
２１Ｓ  螺子部
２９  コアネジ（調整螺子部材）
２９Ｓ  螺子孔
２９Ｈ  工具係合孔
３３  パンチヘッド
３５  係合凹部
５７  ボール
５９  ロックピン
【図１】
0004322982.tif 000002
【図２】
0004322982.tif 000003
【図３】
0004322982.tif 000004
【図４】
0004322982.tif 000005
【図５】
0004322982.tif 000006
【図６】
0004322982.tif 000007